(57)【要約】【課題】近用チャートの呈示距離によらず安定してその検査視標を照明することのできる検眼装置を提供する。【解決手段】検査窓を有する左右一対のレンズ室ユニットを持ち、検査窓に光学素子を切換え配置して被検眼の屈折力を自覚的に検査する検眼装置において、レンズ室ユニットから距離可変に近用検査用の近用チャートを呈示する近用視標呈示手段と、近用チャートの検査距離に応じて左右のレンズ室ユニットの輻輳角を調節するための輻輳角調節手段と、近用チャートを照明するためにレンズ室ユニットに設けられた照明装置と、を備える【選択図】　　　図２
2004057740.tif 000002
【特許請求の範囲】
【請求項１】
検査窓を有する左右一対のレンズ室ユニットを持ち、前記検査窓に光学素子を切換え配置して被検眼の屈折力を自覚的に検査する検眼装置において、前記レンズ室ユニットから距離可変に近用検査用の近用チャートを呈示する近用視標呈示手段と、前記近用チャートの検査距離に応じて前記左右のレンズ室ユニットの輻輳角を調節するための輻輳角調節手段と、前記近用チャートを照明するために前記レンズ室ユニットに設けられた照明装置と、を備えることを特徴とする検眼装置。
【請求項２】
請求項１の検眼装置において、前記照明装置は前記レンズ室ユニットの検査窓の近傍に設けられており、その照明光軸は検査窓の測定軸と略平行に配置されていることを特徴とする検眼装置。
【請求項３】
請求項１〜２の検眼装置において、前記照明装置の照明光源に白色ＬＥＤを使用したことを特徴とする検眼装置。
【請求項４】
請求項１の検眼装置において、検査モードを近用検査モードに切換える切換え手段と、近用検査モードの切換えに連動して前記照明装置による照明光の点灯を制御する制御手段と、を備えることを特徴とする検眼装置。
【発明の詳細な説明】
【０００１】
【発明の属する技術分野】
本発明は、被検眼の屈折力を自覚的に検査する検眼装置に関する。
【０００２】
【従来技術】
被検眼の眼前に球面レンズや円柱レンズ等の光学素子を組み合わせて切換え配置し、前方に呈示する視標を見せながら被検眼の屈折力を自覚的に検査する検眼装置が知られている。この検眼装置を用いて行う検査には、５ｍ等の距離に検査視標を呈示して屈折力を検査する遠用検査の他、眼前１５ｃｍ〜７０ｃｍの近用距離に検査視標を呈示して、加入度数や近用視力を検査する近用検査がある。
【０００３】
従来の検眼装置を用いて近用検査を行う場合、図７に示すように、検眼装置本体１００の左右のレンズ室ユニット１１０を輻輳可能に吊下げるユニット１１１にロッド１０１を取り付け、その先に近用チャート１０２を設置する。被検者はレンズ室ユニット１１０の検査窓に切換え配置された光学素子を通して、近用チャート１０２を見る。この従来の検眼装置においては、本体１００を支持する支持アーム１０３上に蛍光灯等の照明光源１０４を設置し、上方から近用チャート１０２を照明する。
【０００４】
また、実開平６−４６７０２号では、従来の検眼装置の問題点として、吊り下げアーム（支持アーム）と検眼装置本体との角度が変わったり、検眼装置本体に対する近用検査用視力表（近用チャート）の位置を変えたりすると、その度ごとに照明器が近用検査用視力表を照明するよう、照明器の向きを変えなければならず不便であるとしている。このため、視力表支持棒（ロッド）の取付部近傍に、ロッドの長手方向にほぼ平行になるように照明器を設置することにより、従来の問題点を解決するものとしている。
【０００５】
【発明が解決しようとする課題】
しかしながら、図７に示した従来の検眼装置においては、照明光源１０４を用いて上方から近用チャート１０２を照明するため、ロッド１０１の影が近用チャート１０２に映ってしまうことがある。この近用チャート１０２に映る影のため、検査視標が見えにくくなってしまい、正確な検査が行いにくいという問題がある。
【０００６】
一方、実開平６−４６７０２号の装置では、近用チャートに影は映らないものの、ロッドの取付部近傍に照明器を設置するため、レンズ室ユニットの検査窓と同じ高さに置かれる近用チャートより高い位置から照明を行うこととなる。このため、ロッドの軸方向に沿って近用チャートを前後させてその呈示距離を変えると、近用チャート中央付近に照明光軸が位置しない場合があり、近用チャートの呈示距離によって照明光の明るさが大きく変化することとなる。
【０００７】
上記従来技術の問題点に鑑み、近用チャートの呈示距離によらず安定してその検査視標を照明することのできる検眼装置を提供することを技術課題とする。
【０００８】
【課題を解決するための手段】
上記課題を解決するために、本発明は以下のような構成を備えることを特徴とする。
（１）　検査窓を有する左右一対のレンズ室ユニットを持ち、前記検査窓に光学素子を切換え配置して被検眼の屈折力を自覚的に検査する検眼装置において、前記レンズ室ユニットから距離可変に近用検査用の近用チャートを呈示する近用視標呈示手段と、前記近用チャートの検査距離に応じて前記左右のレンズ室ユニットの輻輳角を調節するための輻輳角調節手段と、前記近用チャートを照明するために前記レンズ室ユニットに設けられた照明装置と、を備えることを特徴とする。
（２）　（１）の検眼装置において、前記照明装置は前記レンズ室ユニットの検査窓の近傍に設けられており、その照明光軸は検査窓の測定軸と略平行に配置されていることを特徴とする。
（３）　（１）〜（２）の検眼装置において、前記照明装置の照明光源に白色ＬＥＤを使用したことを特徴とする。
（４）　（１）の検眼装置において、検査モードを近用検査モードに切換える切換え手段と、近用検査モードの切換えに連動して前記照明装置による照明光の点灯を制御する制御手段と、を備えることを特徴とする。
【０００９】
【発明の実施の形態】
以下、本発明の実施の形態を図面に基づいて説明する。図１は本実施の形態で用いる検眼装置を用いた検眼システム全体を示した概略図、図２は本実施の形態で用いる検眼装置を検者側から見た概略外観図（近用検査時）である。
１は検眼装置本体であり、検眼装置本体１は左右対称な一対のレンズ室ユニット５と、この左右のレンズ室ユニット５を吊下げ支持する移動ユニット６と、を備える。移動ユニット６は、被検者の瞳孔間距離に合わせて検査窓５ａの間隔を変える為に左右のレンズ室ユニット５の間隔を調整するスライド機構、及び左右のレンズ室ユニット５の輻輳角（打寄せ角）を調整する輻輳機構を有する移動手段４０を内部に持つ。
【００１０】
図３は移動手段４０のスライド機構及び輻輳機構を説明する図である。レンズ室ユニット５を吊り下げる吊り下げ板４１には軸４２が固定され、軸４２はスライド台４３の孔４３ａに差し込まれており、輻輳動作のために回転自在になっている。また、４４は吊り下げ板４１を打寄せさせるための軸であり、軸４４はギア４５を介して互いに方向の異なるウォーム４６ａ，４６ｂに連結している。また、軸４４の先端には偏芯軸５１が取り付けられており、その偏芯軸５１の先端部分は吊り下げ板４１に形成されている溝４１ａに係合している。
【００１１】
また、ウォーム４６ａ，４６ｂは駆動モータ４７に連結されており、駆動モータ４７の回転によりウォーム４６ａ，４６ｂが回転する。このウォーム４６ａ，４６ｂの回転駆動により、ウォームホイール４５、軸４４を介して偏芯軸５１が回転し、吊り下げ板４１を輻輳させることができる。一方、スライド台４３は固定ガイド４８の軸方向にスライド可能であり、スライドのための駆動モータ４９は固定ガイド４８とともに図示なき固定ブラケットに固定されている。駆動モータ４９には互いに方向の異なるネジ５０ａ，５０ｂが連結されており、スライド台４３の雌ネジと係合していることから、駆動モータ４９を回転させることにより、２つのスライド台４３が互いに逆方向に移動する。このような機構を有する移動手段４０によって、左右のレンズ室ユニット５（すなわち左右の検査窓５ａ）の間隔と輻輳の調整を行うことができる。
【００１２】
また、検眼装置本体１はテーブル１０に設けられている支持アーム４によってテーブル１０の上方に支持されている。１１はテーブルを上下動させるための上下動スイッチであり、このスイッチ１１を用いることによって、図示無き駆動手段によりテーブル１０の天板の高さ位置を調節するとともに、検眼装置本体１の高さを調節することができる。１２はテーブル１０に内蔵されているリレーユニットであり、検眼装置本体１や検眼システム全体の駆動制御を行うコントローラ９、遠用検査視標を呈示する視標呈示装置２０等が接続される。
【００１３】
また、左右のレンズ室ユニット５には、図２に示すように検査窓５ａが設けられているとともに、内部には、種々の多数の光学素子（レンズ等）を同一円周上に配置したレンズディスクが回転可能に設けられている。レンズディスクは後述するコントローラ９の操作により各々回転駆動され、検査窓５に種々の光学素子を配置する。
【００１４】
２０は検眼装置本体１から所定距離だけ離れた位置に置かれ、遠用検査時に用いられる視標呈示装置である（図１では内部の概略構成を示している）。視標呈示装置２０は装置内部に種々の検査視標を提示する視標呈示手段２１、ビームスプリッタ２２、凹面ミラー２３等を備える。視標呈示手段２１によって出射される検査視標の光束は、ビームスプリッタ２２を透過した後、凹面ミラー２３で反射される。凹面ミラー２３で反射した視標光束は、ビームスプリッタ２２で反射され、窓２４を介して測定眼に向かう。
【００１５】
また、ビームスプリッタ２２は、モータ２５によりビームスプリッタ２２の傾斜角度が変えられるようになっている。これにより、ビームスプリッタ２２で反射する視標光束の上下方向の光路が変えられ、測定眼の高さ位置に合わせて視標光束を導くことができる。視標呈示装置２０における測定眼の高さ位置の検出は、集光レンズ２６、２次元の位置検出素子２７からなる位置検出光学系によって行われる。この位置検出光学系は、窓２４の左右両側の内部に設けられている。
後述する検眼装置本体１の照明部７から発せられる赤外光が、集光レンズ２６を介して位置検出素子２７に集光し、位置検出素子２７からの出力信号により測定眼の高さ位置が検出される（視標光の光路を測定眼の高さに合せる方法の詳細は、特開平７−２３６６１２を参照されたい）
【００１６】
２は移動ユニット６に設けられている取付部材８に取り付けられているロッドである。ロッド２には検査視標が複数描かれている近用チャート３ａを持つ近用視標呈示ユニット３が、その長手方向に移動可能に取り付けられている。近用チャート３ａは近用視標呈示ユニット３の軸３ｂを中心に回転可能であり、その回転により呈示窓３ｃから所望の視標が呈示される。呈示窓３ｃから呈示される近用チャート３ａの高さが検査窓５ａと同じ高さになるように、近用視標呈示ユニット３がロッド２に吊下げられている。また、ロッド２上には検査窓５ａに位置する測定眼から近用チャート３ａまでの距離が判るように目盛りが付されており、近用検査時に近用チャート３ａを測定眼から所望する距離に位置させておくことが可能となっている。また、取付部材８は取り付けられたロッド２を上側に折りたたみ可能な構成を有しており、近用検査時以外はロッド２を図１に示す位置（図２の点線位置）に跳ね上げておくことによって、検査の邪魔とならないようにしている。
【００１７】
７は左右のレンズ室ユニット５にそれぞれ設けられた照明部である。照明部７は、図２に示すような近用検査時における近用チャート３ａ（呈示窓３ｃから呈示される検査視標）への照明に用いられるが、その他にも遠用検査時に使用する省スペース型の視標呈示装置２０（図１参照）に呈示される検査視標の呈示位置を調整する際にも用いられる。
【００１８】
この照明部７は、照明光によるロッド２の影が近用チャート３ａ上に映らないととともに、レンズ室ユニット５の輻輳状態に寄らず、近用チャート３ａを常に照明できるように、検査窓５ａの周辺近傍に設けられている。このとき、照明部７からの照明光束の光軸Ｌ２は、検査窓５ａの測定軸Ｌ１（検査窓５ａから覗く測定眼の視軸）にほぼ平行（測定軸Ｌ１側に若干寄る角度も含む）となるようには配置されている。
【００１９】
なお、照明部７はできるだけ検査窓５ａの近くが好ましが、近用チャート３ａが置かれる呈示距離（１５ｃｍ〜７０ｃｍ程度）に応じてレンズ室ユニット５を輻輳させた際に、照明光の光軸方向を調節することなく、近用チャート３ａ全体に必要な光量の照明光があたるような位置に照明部７が設けられていればよい。こうした照明部７の配置も検査窓５ａの近傍に含まれる。
【００２０】
また、本実施の形態における照明部７の設置位置は、図示するように検査窓５ａに対して水平方向に設置するものとしているが、これに限るものではない。例えば検査窓５ａに対して垂直方向に設置する等、検査窓５ａの周辺に設置されていればよい。
【００２１】
図４は照明部７の詳細を示す図である。照明部７は、近用チャート３ａを照明する３個の白色ＬＥＤ７ａ〜７ｃと、検査窓５ａの高さ位置の検出光を視標呈示装置２０に投光するために用いる、１個の赤外光を発するＬＥＤ７ｄと、の計４個のＬＥＤからなる。本実施の形態では近用チャート３ａを照明するために白色のＬＥＤを用いているが、ハロゲンランプ等の他の照明光源を用いることもできる。しかしながら、白色ＬＥＤは低電圧で使用可能であるとともに、ランプ交換をほぼ必要としないため、照明光源として他の光源よりも好適に用いることができる。
【００２２】
また、本実施の形態のように照明光源用のＬＥＤ７ａ〜７ｃと呈示視標の位置調節に用いられるＬＥＤ７ｄとを一体的に照明部７に設置することにより、外観を見苦しくすることなくコンパクトにまとめることができる。また、照明部７と検査窓５ａとを同じ高さ（水平方向）に設置しない場合には、検査窓５ａ（測定眼）と赤外光源（ＬＥＤ７ｄ）との設置高さの差を考慮して視力呈示装置２０のビームスプリッタ２２の傾斜角度を調節すればよい。
９は検眼装置本体１や視標呈示装置２０を操作するためのコントローラである。コントローラ９には遠用検査や近用検査を自動的又は手動にて行うためのスイッチ等を備える。
【００２３】
図５はコントローラ９の詳細を示す図である。３０は検眼情報を表示する液晶のディスプレイである。３１はスイッチ部であり、視標スイッチ群３２、プログラム検眼用のスタートスイッチ３３及び送りスイッチ３４、遠用検査モードと近用検査モードとを切り換える遠／近スイッチ３５、ファンクションスイッチ群３６、等を備える。ファンクションスイッチ群３６は、ディスプレイ３０の画面下方の所定位置に表示される種々のスイッチ表示に対応したものを選択するときに使用する。
【００２４】
以上のような構成を備える装置において、その動作を図６に示す制御系のブロック図をもとに説明する。ここでは、近用検査を含む自覚検査の手順が予めプログラムされた検査プログラムを使用して自覚検査（遠用、近用検査）を行うものとする。
【００２５】
被検者を検眼装置本体１の前に座らせた後、検者は図１に示すテーブル１０のスイッチ１１を使用して、検眼装置本体１の高さを測定眼の高さに合わせる。スイッチ１１を使用している間は、その入力信号がリレーユニット１２を経て検眼装置本体１のマイクロコンピュータ部６２に送られている。スイッチ１１の使用を止め、スイッチ１１の入力信号が途切れると、マイクロコンピュータ６２はＬＥＤ７ｄを発光させ、赤外光を視標呈示装置２０に向けて数秒間投光する。視標呈示装置２０はＬＥＤ７ｄからの赤外光束を位置検出素子２７にて受光することによって測定眼の高さを検知し、その検知情報をもとにモータ２５を用いてビームスプリッタ２２の傾斜角度を調節する。
【００２６】
検者は、スイッチ部３１のスイッチを用いて、コントローラ９に他覚式眼屈折力測定装置６３の他覚測定データ（球面度数、乱視度数、乱視軸、瞳孔間距離等）を入力する。マイクロコンピュータ部６０は、得られた他覚測定データを検眼装置本体１に送信するとともに他覚測定データをディスプレイ３０に表示させる。検眼装置本体１のマイクロコンピュータ部６２は、入力された瞳孔間距離のデータをもとに、移動手段４０を用いて左右の検査窓５ａの間隔を被検者の瞳孔間距離に合わせるべく、左右のレンズ室ユニット５をスライドさせる。また、検査窓５ａに所定の度数を持つ光学素子（レンズ）を配置させるとともに、測定眼でない方の検査窓を遮蔽する。
【００２７】
検者は、図５に示すスイッチ部３１のスイッチ３３を用いて、検査プログラムを開始する。コントローラ９は、検査プログラムの検査ステップに応じて、視標呈示装置２０に視標を呈示させるための指令信号を送信する。視標呈示装置２０のマイクロコンピュータ部６１は、受け取った指令信号を基に視標呈示手段２１を用いて測定眼に向けて検査視標の光束を照射する。
【００２８】
検者は送りスイッチ３４を使用してプログラムを進行させ、球面調整、乱視軸測定、乱視度数測定等を行い、左眼、右眼各々の遠用の矯正度数を検査する。さらにスイッチ３４を用いてプログラムを進行させると、近用検査ステップに移る。近用検査ステップに入ると、装置の検査モードは遠用検査モードから近用検査モードに切換わる。検眼装置本体１のマイクロコンピュータ部６２は、近用検査モードの切換え信号が入力されると、移動手段４０を駆動制御し、左右のレンズ室ユニット５を近用チャート３ａの呈示距離に対応させて所定量輻輳させる。また、近用検査モードへの切換に連動してＬＥＤ７ａ〜７ｃを点灯させる。なお、レンズ室ユニット５の輻輳角は、例えば、測定眼から３５ｃｍ離れた呈示位置に近用チャート３ａが置かれているものとして調整される。近用チャート３ａの呈示距離は、予めコントローラ９により設定しておく。
【００２９】
また、近用検査を実施する場合、検者は跳ね上げられていたロッド２を水平に倒し、図２に示すように近用チャート３を検査窓５ａ（測定眼）の正面に位置させる。検者は被検者に必要な近用距離になるように、近用チャート３をロッド２の長手方向にスライドさせる。近用検査開始時にはディスプレイ３０の下部に複数の近用検査距離が表示されている。近用距離を２０ｃｍや５０ｃｍ等に変更する場合、ファンクションスイッチ群３６のスイッチから該当する近用距離を選択する。
【００３０】
コントローラ９にて近用距離が選択されると、マイクロコンピュータ部６０はその情報を検眼装置本体１に送信する。マイクロコンピュータ部６２は受け取った近用距離情報をもとに移動手段４０を駆動させレンズ室ユニット５の輻輳角を調節する。本実施の形態ではレンズ室ユニット５上に照明部７が設けられているため、近用チャート３ａの設置距離が変わっても、レンズ室ユニット５が設置距離に応じて輻輳するため、照明光の光軸を調節することなく近用チャート３ａが照明される。また、照明部７を検査窓５ａの近傍に設置したことにより、近用チャート３ａに描かれている検査視標周辺までも常に照明できることとなる。
【００３１】
また、近用視標呈示ユニット３をロッド２に対して横方向にスライドするような機構をもたせ、被検者の片眼のみを用いて近用の単眼調節力の検査を行う場合であっても、本実施の形態の検眼装置では、左右の検査窓５ａの近傍に照明部７を各々設置してあるため、照明方向を調節することなく近用チャート３ａを照明することができる。
【００３２】
検者は左右眼各々に対して近用検査を行い、球面度数のチェック等を行う。近用検査の終了後、コントローラ９のプリントスイッチを押すと、測定データがプリントアウトされる。プリントスイッチの信号により、検査プログラムも終了し、検査モードは近用検査モードから遠用検査モードに切換えられ、マイクロコンピュータ６２の制御により照明部７のＬＥＤ７ａ〜７ｃが消灯される。
【００３３】
以上の実施形態では遠用検査と近用検査とを一連に行う検査プログラムを用いて説明したが、これに限るものではなく、近用検査だけを行う場合においても本発明を適用できることはいうまでもない。本実施の形態において近用検査のみを行う場合、スイッチ３５を使用して遠用検査モードから近用検査モードに切換える。このモード切換え信号に基づいて、レンズ室ユニット５の輻輳角が予め設定された近用距離（近用チャート３ａの呈示距離）に合わせて調整されると共に、ＬＥＤ７ａ〜７ｃを点灯される。再び、近用検査モードから遠用検査モードに切換えると、ＬＥＤ７ａ〜７ｃが消灯される。また、スイッチ３７を使用して、遠用度数に対する加入度数を変更する検査モードに切換えたときも、近用チャート３ａを使用すると共に、レンズ室ユニット５の輻輳角が調整されるので、このモードも近用検査モードの一つに含まれる。
【００３４】
また、以上の実施形態では近用検査モードの切換え信号に連動して照明光源を点灯させるものとしているが、取付部材８にスイッチを設け、ロッド２を水平方向に倒したときにＬＥＤ７ａ〜７ｃを点灯させるようにすることもできる。もちろん、コントローラ９に検査モードとは関係なく、任意にＬＥＤ７ａ〜７ｃを点灯／消灯するスイッチを設けても良い。
【００３５】
また、本実施の形態では照明部７からの照明光量を近用検査時の近用チャートの３ａの設置距離（近用距離）に応じて変化させていないが、近用チャート３ａが位置する近用距離を検出或いは取得することにより照明部７からの照明光量を変化させることもできる。例えば、近用距離に応じた照明部７の照明光量を予め設定しておき、近用検査時にコントローラ９のファンクションスイッチ群３６のスイッチから該当する近用距離を選択したときに、選択した近用距離情報をマイクロコンピュータ部６２が取得し、この情報に基づいてマイクロコンピュータ部６２は選択された近用距離に対応する照明光量を照明部７から照射するように制御する。このような制御を行うことによって、近用チャートの呈示距離によらずさらに安定した検査視標の照明を行うことができる。
【００３６】
【発明の効果】
以上のように、本発明によれば、近用チャートの呈示距離によらず安定してその検査視標を照明することができる。
【図面の簡単な説明】
【図１】本実施の形態における検眼システム全体を示した図である。
【図２】本実施の形態で用いる検眼装置の外観を示した図である。
【図３】移動手段のスライド機構及び輻輳機構を示した図である。
【図４】レンズ室ユニットの外観を示した図である
【図５】コントローラの構成を示した図である。
【図６】制御系を示した図である。
【図７】従来の検眼装置を示した図である。
【符号の説明】
１　検眼装置本体
２　ロッド
３　近用視標呈示ユニット
３ａ　近用チャート
５　レンズ室ユニット
５ａ　検査窓
６　移動ユニット
７　照明部
【図１】
2004057740.tif 000003
【図２】
2004057740.tif 000004
【図３】
2004057740.tif 000005
【図４】
2004057740.tif 000006
【図５】
2004057740.tif 000007
【図６】
2004057740.tif 000008
【図７】
2004057740.tif 000009